【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、遊技者所有の遊技用価値を用いて遊技が行なわれる封入式遊技機での遊技を可能にする遊技用装置を含む遊技用システムであって、
前記遊技用装置の正当性を認証するために用いる認証用情報が記憶された管理装置を含み、
前記遊技用装置は、
前記管理装置に記憶された前記認証用情報の送信を要求する送信要求手段と、
前記送信要求手段が前記認証用情報の送信を要求してから前記認証用情報の送信要求を再送することなく所定の応答待期間の経過まで前記認証用情報の受信を待機する待機手段と、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置から送信された前記認証用情報の受信を条件として、前記所定の制限が解除された前記封入式遊技機との通信が可能な通常通信モードに設定する通常通信モード設定手段とを含み、
前記待機手段は、前記遊技用装置において電源断が発生した後に当該電源断が復旧したときであっても前記認証用情報の送信要求を再送することなく所定の応答待期間の経過まで前記認証用情報の受信を待機する、遊技用システム。
【請求項２】
遊技媒体を循環させる循環経路を有し、遊技者所有の遊技用価値を用いて遊技が行なわれる封入式遊技機での遊技を可能にする遊技用装置であって、
前記遊技用装置の正当性を認証するために用いる認証用情報の送信を管理装置へ要求する送信要求手段と、
前記認証用情報を受信する認証用情報受信手段と、
前記送信要求手段が前記認証用情報の送信を要求してから前記認証用情報の送信要求を再送することなく所定の応答待期間の経過まで前記認証用情報の受信を待機する待機手段と、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置から送信された前記認証用情報の受信を条件として、前記所定の制限が解除された前記封入式遊技機との通信が可能な通常通信モードに設定する通常通信モード設定手段とを含み、
前記待機手段は、前記遊技用装置において電源断が発生した後に当該電源断が復旧したときであっても前記認証用情報の送信要求を再送することなく所定の応答待期間の経過まで前記認証用情報の受信を待機する、遊技用装置。
【請求項３】
遊技媒体を循環させる循環経路を有し、遊技者所有の遊技用価値を用いて遊技が行なわれる封入式遊技機での遊技を可能にする遊技用装置に設けられる遊技制御装置であって、
前記遊技用装置の正当性を認証するために用いる認証用情報の送信を管理装置へ要求する送信要求手段と、
前記認証用情報を受信する認証用情報受信手段と、
前記送信要求手段が前記認証用情報の送信を要求してから前記認証用情報の送信要求を再送することなく所定の応答待期間の経過まで前記認証用情報の受信を待機する待機手段と、
前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記認証用情報の受信を条件として、前記所定の制限が解除された前記封入式遊技機との通信が可能な通常通信モードに設定する通常通信モード設定手段とを含み、
前記待機手段は、前記遊技用装置において電源断が発生した後に当該電源断が復旧したときであっても前記認証用情報の送信要求を再送することなく所定の応答待期間の経過まで前記認証用情報の受信を待機する、遊技制御装置。
【手続補正２】
【補正対象書類名】明細書
【補正対象項目名】発明の名称
【補正方法】変更
【補正の内容】
【発明の名称】遊技用システム、遊技用装置、および遊技制御装置
【手続補正３】
【補正対象書類名】明細書
【補正対象項目名】０００１
【補正方法】変更
【補正の内容】
【０００１】
本発明は、遊技媒体を循環させる循環経路を有し、遊技者所有の遊技用価値を用いて遊技が行なわれる封入式遊技機での遊技を可能にする遊技用装置を含む遊技用システム、前記遊技用装置、および前記遊技用装置に設けられる遊技制御装置に関する。
【手続補正４】
【補正対象書類名】明細書
【補正対象項目名】０００６
【補正方法】変更
【補正の内容】
【０００６】
本発明は、係る実情に鑑み考え出されたものであり、その目的は、管理装置との通信を行なうことによってセキュリティの確保を図りながらも、柔軟な運用を可能とする遊技用システム、遊技用装置、および遊技制御装置を提供することである。
【手続補正５】
【補正対象書類名】明細書
【補正対象項目名】０００７
【補正方法】変更
【補正の内容】
【０００７】
（１）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）を含む遊技用システムであって、
前記遊技用装置の正当性を認証するために用いる第１認証用情報（基板認証鍵、更新情報）が記憶された管理装置（鍵管理サーバ８００）を含み、
前記遊技用装置は、
前記管理装置に記憶された前記第１認証用情報の送信を要求する送信要求手段（図１４０；セキュリティ基板情報取得要求の送信）と、
前記送信要求手段が前記第１認証用情報の送信を要求してから前記第１認証用情報の送信要求を再送することなく所定の応答待期間の経過まで前記第１認証用情報の受信を待機する待機手段（図１４０；セキュリティ情報問合せ猶予期間の経過まで待機）と、
前記管理装置に記憶された前記第１認証用情報を受信できないときに、前記遊技用価値を用いた前記封入式遊技機での遊技を所定の制限の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置から送信された前記第１認証用情報の受信を条件として、前記所定の制限が解除された前記封入式遊技機との通信が可能な通常通信モード（基板認証鍵モード（基板認
証鍵運用））に設定する通常通信モード設定手段（図１２１、図１４１、図１４２、図１４６、図１４７）とを含み、
前記待機手段は、前記遊技用装置において電源断が発生した後に当該電源断が復旧したときであっても前記第１認証用情報の送信要求を再送することなく所定の応答待期間の経過まで前記第１認証用情報の受信を待機する（図１４０参照）。
【手続補正６】
【補正対象書類名】明細書
【補正対象項目名】０００８
【補正方法】変更
【補正の内容】
【０００８】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正７】
【補正対象書類名】明細書
【補正対象項目名】００１０
【補正方法】変更
【補正の内容】
【００１０】
（２）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）であって、
前記遊技用装置の正当性を認証するために用いる第１認証用情報（基板認証鍵、更新情報）の送信を管理装置（鍵管理サーバ８００）へ要求する送信要求手段（図１４０；セキュリティ基板情報取得要求の送信）と、
前記第１認証用情報を受信する第１認証用情報受信手段（図１４０；セキュリティ基板情報取得）と、
前記送信要求手段が前記第１認証用情報の送信を要求してから前記第１認証用情報の送信要求を再送することなく所定の応答待期間の経過まで前記第１認証用情報の受信を待機する待機手段（図１４０；セキュリティ情報問合せ猶予期間の経過まで待機）と、
前記管理装置に記憶された前記第１認証用情報を受信できないときに、前記遊技用価値を用いた前記封入式遊技機での遊技を所定の制限の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置から送信された前記第１認証用情報の受信を条件として、前記所定の制限が解除された前記封入式遊技機との通信が可能な通常通信モード（基板認証鍵モード（基板認証鍵運用））に設定する通常通信モード設定手段（図１４１、図１４２、図１４６、図１４７）とを含み、
前記待機手段は、前記遊技用装置において電源断が発生した後に当該電源断が復旧したときであっても前記第１認証用情報の送信要求を再送することなく所定の応答待期間の経過まで前記第１認証用情報の受信を待機する（図１４０参照）。
【手続補正８】
【補正対象書類名】明細書
【補正対象項目名】００１１
【補正方法】変更
【補正の内容】
【００１１】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正９】
【補正対象書類名】明細書
【補正対象項目名】００１８
【補正方法】変更
【補正の内容】
【００１８】
このような構成によれば、制限通信モード中に電源断が発生している間に遊技用装置を不正装置にすり替えて電源をＯＮにして、不正装置により制限通信モードでの遊技提供が再開されてしまうことを極力防止できる。
（６）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）に設けられる遊技制御装置(セキュリティ基板)であって、
前記遊技用装置の正当性を認証するために用いる認証用情報（基板認証鍵、更新情報）の送信を管理装置（鍵管理サーバ８００）へ要求する送信要求手段（図１４０；セキュリティ基板情報取得要求の送信）と、
前記認証用情報を受信する認証用情報受信手段（図１４０；セキュリティ基板情報取得）と、
前記送信要求手段が前記認証用情報の送信を要求してから前記認証用情報の送信要求を再送することなく所定の応答待期間の経過まで前記認証用情報の受信を待機する待機手段（図１４０；セキュリティ情報問合せ猶予期間の経過まで待機）と、
前記認証用情報を受信できないときに、前記遊技用価値を用いた前記封入式遊技機での遊技を所定の制限の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記認証用情報の受信を条件として、前記所定の制限が解除された前記封入式遊技機との通信が可能な通常通信モード（基板認証鍵モード（基板認証鍵運用））に設定する通常通信モード設定手段（図１４１、図１４２、図１４６、図１４７）とを含み、
前記待機手段は、前記遊技用装置において電源断が発生した後に当該電源断が復旧したときであっても前記認証用情報の送信要求を再送することなく所定の応答待期間の経過まで前記認証用情報の受信を待機する（図１４０参照）。
このような構成によれば、遊技用装置の正当性が管理装置に記憶された認証用情報によって認証される前に通常通信モードとなって遊技用価値を用いた封入式遊技機での遊技が可能となることを防止できる。さらに、認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、認証用情報での認証が必要とされることなく運用が続けられてしまうことを防止できる。
また、遊技用装置において電源断が発生した後に当該電源断が復旧したときであっても認証用情報の送信要求を再送することなく所定の応答待期間の経過まで認証用情報の受信を待機するため、管理装置の通信の負荷を軽減できる。